(57)【要約】【課題】食器類の出し入れが非常に容易で、使い勝手の良い食器洗い機を提供する。【解決手段】洗浄槽２内に配され、食器類７を収納すると共に少なくとも上下２段に分かれた上段かご１８と下段かご１７を備え、上段かご１８は、枠体１９と、枠体１９に載置される食器収納部２０からなり、食器収納部２０の少なくとも一部に、コップ類２１を手前から奥にかけて複数列に傾斜させるための載置面２０ａと、手前から奥に繋げて設けられた複数の載置リブ２３と、複数の載置リブ２３に形成されコップ類２１の転倒を防止する複数のコップ類転倒防止部２４、２５を備え、載置リブ２３の最前列に配されたコップ類転倒防止部２４の高さを、奥側のコップ類転倒防止部２５の高さより高く設定したもので、上段かご１８の奥側にコップ類２１を収容する際に、コップ類２１が最前列のコップ類転倒防止部２４に当たる可能性が少なく、コップ類２１の収容作業が容易になる。【選択図】図１
2007282755.tif 000002
【特許請求の範囲】
【請求項１】
食器類を洗浄する洗浄槽と、前記洗浄槽内に配され、前記食器類を収納すると共に少なくとも上下２段に分かれた上段かごと下段かごを備え、前記上段かごは、枠体と、前記枠体に載置される食器収納部からなり、前記食器収納部の少なくとも一部に、コップ類を手前から奥にかけて複数列に傾斜させて収納するための載置面と、手前から奥に繋げて設けられた複数のリブと、前記複数のリブに形成され前記コップ類の転倒を防止する複数のコップ類転倒防止部を備え、前記リブの最前列に配された前記コップ類転倒防止部の高さを、奥側に配されたコップ類転倒防止部の高さより高く設定したことを特徴とする食器洗い機。
【請求項２】
複数のリブを左右方向で繋ぐ補強リブを複数設けると共に、前記補強リブの高さ位置を、コップ類転倒防止部の高さ位置よりも低く設定した請求項１に記載の食器洗い機。
【請求項３】
複数のリブを左右方向で繋ぐ補強リブを複数設けると共に、前記リブの最前列に配したコップ類転倒防止部に設けた前記補強リブの高さ位置は、１列奥に配されたコップ類転倒防止部に設けた補強リブの高さ位置よりも低く設定した請求項１に記載の食器洗い機。
【請求項４】
コップ類転倒防止部に突起を設け、前記突起の先端にてコップ類を受けるようにした請求項１〜３のいずれか１項に記載の食器洗い機。
【請求項５】
リブの最前列に設けたコップ類転倒防止部の手前に、小皿または小物を収納する収容部を設けた請求項１〜４のいずれか１項に記載の食器洗い機。
【請求項６】
食器収納部の少なくとも一部が、枠体より取り外し可能であり、前記食器収納部を前記枠体に載置するときに、前記食器収納部が前記枠体内の手前側に位置するように案内する案内部を前記枠体に設けた請求項１〜５のいずれか１項に記載の食器洗い機。
【発明の詳細な説明】
【技術分野】
【０００１】
本発明は、洗浄ノズルより洗浄水を噴射して食器類を洗浄する食器洗い機に関するものである。
【背景技術】
【０００２】
従来、この種の食器洗い機は、図８及び図９に示すように構成されていた。以下、その構成について説明する。
【０００３】
図８、図９に示すように、従来の食器洗い機１は、内部に洗浄槽２が設けられており、この洗浄槽２の底部に排水孔３が設けられ、この排水孔３の側部に連通したポンプ室（図示せず）に、モータ４によって駆動される洗浄ポンプ５が配設され、洗浄ポンプ５により洗浄水を洗浄槽２の内部で循環させるように構成されている。
【０００４】
この循環は、洗浄水が排水孔３から洗浄ポンプ５に吸い込まれ、洗浄ポンプ５より洗浄槽２の内底部に配設された洗浄ノズル６に供給され、この洗浄ノズル６から食器類７に向けて噴射され、食器類７を洗浄した後、再び排水孔３に戻るという経路で行われる。
【０００５】
洗浄ノズル６と洗浄槽２の底部との間には、洗浄水加熱用のヒータ８が配設されている。また、洗浄ノズル６の上方には、食器類７を整然と配置することで食器類７に対して洗浄水を効果的に噴射し、食器類７の洗浄を効率的に行えるように構成した食器かご９が設置されている。
【０００６】
洗浄槽２は、前方に開口しており、その前面部に、前方に開閉自在な蓋１０が取り付けられている。排水ポンプ１１は、排水孔３から洗浄水を吸い込み、排水ホース１２を通して洗浄水を機外に排出するように構成されている。
【０００７】
また、洗浄槽２内により多くの食器類７を収容するため、食器かご９を上下２段に設けたものにおいては、上段食器かご１３に収容した食器類７を洗浄するために、洗浄槽２の壁面に固定ノズル１４を設けるとともに、前記固定ノズル１４より洗浄水を噴射するものである。
【０００８】
上段食器かご１３のうち、コップ類１５を収容する場所には、コップ類１５の転倒を防止する転倒防止ピン１６が設けられている（例えば、特許文献１参照）。
【特許文献１】特開２００１−２１８７２１号公報
【発明の開示】
【発明が解決しようとする課題】
【０００９】
しかしながら、上記のような構成の従来の食器洗い機１においては、上段食器かご１３のうち、下方に大皿類を収容する範囲については、下方に茶碗類を収容する範囲と比較して、高さ方向の隙間が狭いため、食器類７の出し入れ作業が容易ではないという課題があった。特に、上段食器かご１３にコップ類１５を収容する構成の食器洗い機の場合、洗浄槽の奥側にコップ類１５を収容する際の作業は、洗浄槽２天面と上段食器かご１３のコップ転倒防止ピン１６にコップ類１５が当たるため困難な作業になっていた。
【００１０】
本発明は、上述の課題を解決するもので、食器類の出し入れ作業をより容易で、使い勝手の良い食器洗い機を提供することを目的としている。
【課題を解決するための手段】
【００１１】
上記従来の課題を解決するために、本発明の食器洗い機は、食器類を洗浄する洗浄槽と、前記洗浄槽内に配され、前記食器類を収納すると共に少なくとも上下２段に分かれた上段かごと下段かごを備え、前記上段かごは、枠体と、前記枠体に載置される食器収納部からなり、前記食器収納部の少なくとも一部に、コップ類を手前から奥にかけて複数列に傾斜させて収納するための載置面と、手前から奥に繋げて設けられた複数のリブと、前記複数のリブに形成され前記コップ類の転倒を防止する複数のコップ類転倒防止部を備え、前記リブの最前列に配された前記コップ類転倒防止部の高さを、奥側に配されたコップ類転倒防止部の高さより高く設定したもので、上段かごの奥側にコップ類を収容する際に、コップ類が最前列のコップ類転倒防止部に当たる可能性を小さくでき、上段かごへのコップ類の収容作業が容易な食器洗い機を提供することができる。
【発明の効果】
【００１２】
本発明の食器洗い機によると、上段かごへのコップ類などの食器類の収容作業性が改善され、使い勝手が向上する。
【発明を実施するための最良の形態】
【００１３】
第１の発明は、食器類を洗浄する洗浄槽と、前記洗浄槽内に配され、前記食器類を収納すると共に少なくとも上下２段に分かれた上段かごと下段かごを備え、前記上段かごは、枠体と、前記枠体に載置される食器収納部からなり、前記食器収納部の少なくとも一部に、コップ類を手前から奥にかけて複数列に傾斜させて収納するための載置面と、手前から奥に繋げて設けられた複数のリブと、前記複数のリブに形成され前記コップ類の転倒を防止する複数のコップ類転倒防止部を備え、前記リブの最前列に配された前記コップ類転倒防止部の高さを、奥側に配されたコップ類転倒防止部の高さより高く設定したもので、上段かごの奥側にコップ類を収容する際に、コップ類が最前列のコップ類転倒防止部に当たる可能性を小さくでき、上段かごへのコップ類の収容作業が容易な食器洗い機を提供することができる。
【００１４】
第２の発明は、特に、第１の発明の複数のリブを左右方向で繋ぐ補強リブを複数設けると共に、前記補強リブの高さ位置を、コップ類転倒防止部の高さ位置よりも低く設定したもので、コップ類を収納する部分に碗類を収容した場合に、碗類の高さ位置が左右に繋ぐ補強リブの高さ位置で決まるため、より深い碗類などの食器類を収容することができる。
【００１５】
第３の発明は、特に、第１の発明の複数のリブを左右方向で繋ぐ補強リブを複数設けると共に、前記リブの最前列に配したコップ類転倒防止部に設けた前記補強リブの高さ位置は、１列奥に配されたコップ類転倒防止部に設けた補強リブの高さ位置よりも低く設定したもので、コップ類を収納する部分に碗類を収容した場合に、碗類の内面が、洗浄槽の奥に設けた固定ノズルに向くので、上段のコップ類を収納する部分に載置された碗類の洗浄効果を高めることができる。
【００１６】
第４の発明は、特に、第１〜３のいずれか一つの発明のコップ類転倒防止部に突起を設け、前記突起の先端にてコップ類を受けるようにしたもので、コップ類とコップ類転倒防止部の接触が点で行われるので、食器洗い機の運転終了時に接触部に付着、残存する水滴量を最小に抑えることができ、コップ類の洗浄仕上がりをより良いものにできる。
【００１７】
第５の発明は、特に、第１〜４のいずれか一つの発明のリブの最前列に設けたコップ類転倒防止部の手前に、小皿または小物を収納する収容部を設けたもので、最も手前列のコップ類の下方に生じる空間を有効活用することで、より収容能力の高い食器洗い機とすることができる。
【００１８】
第６の発明は、特に、第１〜５のいずれか一つの発明の食器収納部の少なくとも一部が、枠体より取り外し可能であり、前記食器収納部を前記枠体に載置するときに、前記食器収納部が前記枠体内の手前側に位置するように案内する案内部を前記枠体に設けたもので、取り外し可能の食器収納部が手前側に案内されることで、より使い勝手の良い食器洗い機とすることができる。
【００１９】
以下、本発明の実施の形態について、図面を参照して説明する。なお、この実施の形態によって本発明が限定されるものではない。
【００２０】
（実施の形態１）
本発明の第１の実施の形態における食器洗い機について、図１〜図７を参照して説明する。なお、図８、図９を参照して説明した従来の食器洗い機と同じ構成要素には、同一符号を付してその説明を省略する。
【００２１】
図１〜図７において、食器洗い機本体１内に設けられた洗浄槽２内に、下段かご１７と上段かご１８を設け、上段かご１８を、枠体１９と、枠体１９に着脱自在に載置される食器収容部２０で構成し、コップ類２１を複数収容可能とするとともに、小皿類２２を最前列に収容可能としている。
【００２２】
食器収容部２０は、コップ類２１を、手前から奥にかけて複数列に傾斜させて収納できるように載置面２０ａを形成すると同時に、コップ類２１の転倒防止を目的として、手前から奥に繋げてある載置リブ２３を複数設けてあり、さらに、載置リブ２３には、コップ類２１の転倒を防止するコップ類転倒防止部２４、２５が複数設けられ、載置リブ２３の最前列に配されたコップ類転倒防止部２４の高さは、奥側に配したコップ類転倒防止部２５の高さよりも高く設定している。これにより上段かご１８の奥側にコップ類２１を収容する際に、コップ類２１が奥側のコップ類転倒防止部２５に当たる可能性を小さくでき、上段かご１８へのコップ類２１の収容作業性が良い食器洗い機１を提供することができる。
【００２３】
万が一、上段かご１８からコップ類２１が手前に落下すると、コップ類２１の破損のみでなく、使用者の怪我にも繋がるので、起きてはならない。そのため最前列のコップ類転倒防止部２４は必要な高さを維持しなければならないが、奥のコップ類転倒防止部２５の場合は、奥に載置されたコップ類２１は、転倒しても上段かご１８からは落下しないので、コップ類２１載置の使い勝手を優先して、奥のコップ類転倒防止部２５の高さ位置を下げたものである。
【００２４】
また、本実施の形態では、食器収容部２０に、左右に繋ぐ補強リブ２６を設け、その補強リブ２６の高さ位置は、コップ類転倒防止部２４の高さ位置よりも低く設定している。これにより、食器収容部２０に碗類２７を収容した場合に、碗類２７の高さ位置が左右に繋ぐ補強リブ２６の高さ位置で決まるため、より深い碗類２７を収容することが出来る食器洗い機１とすることができる。
【００２５】
また、最前列のコップ類転倒防止部２４に設けた補強リブ２６の高さ位置は、１列奥のコップ類転倒防止部２５に設けた補強リブ２８の高さ位置よりも低く設定しており、食器収容部２０に碗類２７を収容した場合に、碗類２７の内面２９が洗浄槽２の奥に設けた固定ノズル１４に向くので、上段かご１８の食器収容部２０に載置された碗類２７の洗浄効果を高めることができる。
【００２６】
また、コップ類転倒防止部２４、２５に突起３０、３１を設け、この突起３０、３１の先端にてコップ類２１を受けるよう設定しており、コップ類２１とコップ類転倒防止部２４、２５の接触が点で行われるので、食器洗い機１の運転終了時に接触部に付着、残存する水滴量を最小に抑えることができ、コップ類２１の洗浄仕上がりをより良いものにすることができる。
【００２７】
また、最前列のコップ類転倒防止部２４の手前に、小物（図示せず）或いは小皿類２２を収納する収容部２０ｂを設けているので、最前列のコップ類２１の下方に生じる空間３２を有効活用することで、より収容能力の高い食器洗い機１とすることができる。
【００２８】
また、上段かご１８の枠体１９に着脱自在の食器収納部２０を、枠体１９に載置したときに、食器収納部２０が、枠体１９内の手前側に自然に位置するよう、枠体１９には、前下がりに傾斜させた案内部３３を設けており、取り外し可能である食器収納部２０を手前側に案内することで、奥にある場合と比較して、使用者が食器類７を収容しやすくなり、より使い勝手の良い食器洗い機１とすることができる。
【産業上の利用可能性】
【００２９】
本発明にかかる食器洗い機は、上段かごの奥側にコップ類を収容する際に、コップ類が最前列のコップ類転倒防止部に当たる可能性を小さくでき、上段かごへのコップ類の収容作業が良いもので、家庭用、業務用食器洗い機に広く適用できるものである。
【図面の簡単な説明】
【００３０】
【図１】本発明の実施の形態１における食器洗い機の側断面図
【図２】同食器洗い機の正面から見た部分断面図
【図３】同食器洗い機の上段かごの食器収容部の斜視図
【図４】同食器収容部の平面図
【図５】同食器収容部の断面図
【図６】同食器収容部に碗類を載置した状態を示す断面図
【図７】同上段かごの枠体の斜視図
【図８】従来の食器洗い機の側断面図
【図９】同食器洗い機の正面から見た部分断面図
【符号の説明】
【００３１】
１      食器洗い機
２      洗浄槽
７      食器類
１７    下段かご
１８    上段かご
１９    枠体
２０    食器収容部
２０ａ  載置面
２１    コップ類
２３    載置リブ（リブ）
２４、２５  コップ類転倒防止部
２６    補強リブ
３０    突起
３３    案内部
【図１】
2007282755.tif 000003
【図２】
2007282755.tif 000004
【図３】
2007282755.tif 000005
【図４】
2007282755.tif 000006
【図５】
2007282755.tif 000007
【図６】
2007282755.tif 000008
【図７】
2007282755.tif 000009
【図８】
2007282755.tif 000010
【図９】
2007282755.tif 000011